(57)【要約】【課題】  広画角放送番組の切り出し視聴時に、データ放送の表示内容が映像画角に連動して切替ることにより、視聴者の利便性を向上させる【解決手段】  ユーザ操作に応じて選択された映像に対応して、データ放送コンテンツから異なる関連情報を選択する情報処理手段と、前記選択された映像を表示するための映像データと前記関連情報を表示するための表示データとを合成して表示装置に出力する合成手段と、前記選択された映像に応じて、所定の表示レイアウトで前記選択された映像と前記関連情報とを表示させるように前記合成手段制御する制御手段とを有する。【選択図】  図１
2011142397.tif 000002
【特許請求の範囲】
【請求項１】
デジタル放送を受信して、放送番組に係る番組映像と、該放送番組に関連したデータ放送コンテンツに係る関連情報とを表示させる放送受信装置であって、
放送番組に係る番組映像を表示するための映像データを生成する映像処理手段と、
ユーザ操作に応じて、前記番組映像から特定の映像を選択する映像選択手段と、
選択された映像に対応して、前記データ放送コンテンツから特定の関連情報を選択する情報処理手段と、
選択された関連情報を表示するための表示データを生成する描画手段と、
前記選択された映像を表示するための映像データと前記関連情報を表示するための表示データとを合成して表示装置に出力する合成手段と、
所定の表示レイアウトで前記選択された映像と選択された関連情報とを表示させるように前記合成手段を制御する制御手段とを有することを特徴とする放送受信装置。
【請求項２】
前記特定の映像は、前記番組映像の一部の画角を切り出した映像であり、
前記制御手段は、前記デジタル放送により送信される付随情報に基いて、前記特定の映像の表示領域情報と前記関連情報の表示領域情報とを記載したテーブルを生成し、
前記合成手段は、前記テーブルを参照して、前記特定の映像の表示領域情報と前記選択された関連情報の表示領域情報とに基いて、前記映像データと前記表示データとを合成する請求項１記載の放送受信装置。
【請求項３】
前記制御手段は、特定の映像の画角が狭い場合には、特定の映像の画角が広い場合に比べて、表示領域全体の面積に対する関連情報の表示領域の面積の比を大きくレイアウトする請求項１又は２記載の放送受信装置。
【請求項４】
前記データ放送コンテンツのデータ放送ソースは、マークアップ言語により記述された階層構造をもつ複数のデータファイルで構成され、異なる最上位のデータファイルのそれぞれの最下位には、重複したデータファイルが含まれている請求項１乃至３の何れか１項に記載の放送受信装置。
【請求項５】
デジタル放送を受信して、放送番組に係る番組映像と、該放送番組に関連したデータ放送コンテンツに係る関連情報とを表示させる放送受信方法であって、
放送番組に係る番組映像を表示するための映像データを生成するステップと、
ユーザ操作に応じて、前記番組映像から特定の映像を選択するステップと、
選択された映像に対応して、前記データ放送コンテンツから特定の関連情報を選択するステップと、
選択された関連情報を表示するための表示データを生成するステップと、
前記選択された映像を表示するための映像データと前記関連情報を表示するための表示データとを合成して表示装置に出力するステップと、
所定の表示レイアウトで前記選択された映像と前記関連情報とを表示させるステップとを有することを特徴とする放送受信方法。
【発明の詳細な説明】
【技術分野】
【０００１】
本発明は、映像コンテンツを異なる画角で視聴可能な放送受信装置及び方法に関する。
【背景技術】
【０００２】
現在、ハイビジョンを超える解像度（例えば、７６８０×４３２０画素）を持つスーパーハイビジョン放送が検討されている。スーパーハイビジョン放送により配信される高精細映像では、映像の一部分を拡大表示しても、鮮明な映像を表示することができる。
【０００３】
放送局が従来の撮影画角より広い画角の映像を撮影し、これをスーパーハイビジョン放送で映像配信する新たな放送サービス（広画角放送サービス）が期待される。視聴者は、配信されている映像の全体画角の中から、好みの画角を選択して視聴することができる。
【０００４】
一方、デジタル放送では、データ放送により、番組映像に連動した文字やグラフィックス等の番組関連情報を表示することができる。下記特許文献１には、放送番組の分類を特定し、分類に対応した表示形態で、放送番組の付加データを表示することが記載されている。
【先行技術文献】
【特許文献】
【０００５】
【特許文献１】特開２００５−１５１１９５号公報
【発明の概要】
【発明が解決しようとする課題】
【０００６】
広画角放送では、視聴者の選択した画角の映像に対応した番組関連情報の表示が好ましい。しかしながら、従来は、視聴者が選択した画角の映像に応じて、データ放送の内容を自動的に切替えることはできなかった。
【０００７】
本発明は、広画角放送番組に連動したデータ放送の内容を、視聴者の選択した画角映像に連動して切替えられるように制御するものである。
【課題を解決するための手段】
【０００８】
上記課題を解決するために、本発明は、デジタル放送を受信して、放送番組に係る番組映像と、該放送番組に関連したデータ放送コンテンツに係る関連情報とを表示させる放送受信装置であって、
放送番組に係る番組映像を表示するための映像データを生成する映像処理手段と、
ユーザ操作に応じて、前記番組映像から特定の映像を選択する映像選択手段と、
選択された映像に対応して、前記データ放送コンテンツから特定の関連情報を選択する情報処理手段と、
選択された関連情報を表示するための表示データを生成する描画手段と、
前記選択された映像を表示するための映像データと前記関連情報を表示するための表示データとを合成して表示装置に出力する合成手段と、
所定の表示レイアウトで前記選択された映像と前記関連情報とを表示させるように前記合成手段を制御する制御手段とを有することを特徴とする。
【発明の効果】
【０００９】
本発明によれば、データ放送の内容が視聴者の選択した画角映像に連動して自動的に切替えられる。視聴者の好みの映像対象に対して最適な番組関連情報が表示されるので、ユーザフレンドリな視聴環境が提供される。
【図面の簡単な説明】
【００１０】
【図１】本発明に係る放送受信装置の構成を示すブロック図である。
【図２】本発明に係る放送受信装置の動作の流れを示すフロー図である。
【図３】本発明に係る表示制御テーブルの構成を示す説明図である。
【図４】本発明に係るデータ放送データの表示形態を示す模式図である。
【図５】本発明に係る映像の切り出しを説明するための説明図である。
【図６】本発明に係るデータ放送ソースの階層構造を説明するための説明図である。
【発明を実施するための形態】
【００１１】
（実施例１）
図１は、本発明の放送受信装置のブロック図である。受信部１０１はデジタル放送波からチャンネルを選局して放送信号を復調し、復調された信号からトランスポートストリーム（ＴＳ）を生成する。デマルチプレクサ１０２はＴＳを、映像ストリーム、音声ストリーム、データ放送ストリーム、制御情報にそれぞれ分離する。映像ストリームは映像デコード部１０３に、制御情報は制御部１１０に、データ放送ストリームはデータ放送処理部１２０に、音声ストリームは音声デコード部１３０にそれぞれ送られる。
【００１２】
映像処理手段としての映像デコード部１０３は、映像ストリームを復号し、映像データを出力する。拡大部１０４は、映像データを指定されたサイズに拡大する。拡大倍率及び映像を切り出して拡大表示する領域の座標値は、制御部１１０より取得する。
【００１３】
情報処理手段としてのデータ放送処理部１２０は、データ放送ストリームに含まれるマークアップ言語のＢＭＬ（Ｂｒｏａｄｃａｓｔ  Ｍａｒｋｕｐ  Ｌａｎｇｕａｇｅ）を解析し、データ放送として表示する番組関連情報データを生成する。描画部１２１は、番組関連情報データから番組関連情報を表示するための表示データとしてのビットマップデータを生成する。
【００１４】
音声デコード部１３０は音声ストリームを復号して複数の音声データを生成する。生成される音声データとしては、サラウンド用の音声チャンネルや解説などに用いられる副音声チャンネルに係る音声データである。音声切り替え部１３１は複数の音声データから、制御部１１０により指定された音声データを選択し、スピーカ１３２に出力する。
【００１５】
制御部１１０は、拡大部１０４、データ放送処理部１２０、描画部１２１、音声切り替え部１３１を連携制御する。また、制御部１１０は受信した制御情報を解析し、番組映像と関連情報との表示レイアウトを記述した表示制御テーブルを生成する。
【００１６】
合成部１０５は、拡大部１０４が出力する映像データと描画部１２１が生成したビットマップデータとを合成処理し、合成データとしてディスプレイ１０６出力する。ディスプレイ１０６は、合成データに基いた映像を表示パネルの画面に表示する。表示制御テーブルに従った所定の表示レイアウトで、番組映像と関連情報とが、画面の表示領域の中のそれぞれの表示領域内に表示される。
【００１７】
次に図２を用いて本発明に係る放送受信装置の動作を説明する。視聴者がリモコンを用いて、広画角放送番組を選局すると、表示制御処理がスタートする。
【００１８】
映像選択手段としての制御部１１０は、視聴者によるリモコン操作（ユーザ操作）によって、表示すべき画角の切り替えが指示されているか否かを判定する（Ｓ１１０１）。制御部１１０は、表示画角の変更が指示された場合にイベントを発生し、これをデータ放送処理部１２０に出力する。データ放送処理部１２０、はイベントの有無によって実行する処理を選択する。即ち、制御部１１０が発生するイベントに応じてＢＭＬの処理手順が変更されるように、拡張されたＢＭＬが実装してある。画角切り替えが指示された場合は、指示された画角を特定する値をメモリに記憶する（Ｓ１１０２）。
【００１９】
制御部１１０は、視聴者によるリモコン操作によって、データ放送の表示が指示されているか否かを判断する（Ｓ１２０１）。データ放送の表示が指示されている場合は、選択されている画角値をメモリから読み出し、画角値から選択されている画角を判定する（Ｓ１１０３）。表示制御テーブルを参照して、選択された画角に対応する表示領域を取得する（Ｓ１１１０、Ｓ１１２０）。
【００２０】
図３に示すように、表示制御テーブルには、各画角に対応付けて、映像表示領域情報やデータ放送表示領域情報、音声チャンネル指定値を示すパラメータが記載されている。
【００２１】
表示制御テーブルに記載される内容は放送局が決定し、番組の付随情報として放送波に含ませて送信される。例えば、デジタル地上放送においては、ＴＳに格納されているＰＳＩ（Ｐｒｏｇｒａｍ  Ｓｐｅｃｉｆｉｃ  Ｉｎｆｏｒｍａｔｉｏｎ）を拡張して付随情報を組み込む。受信機は受信したＴＳに含まれるＰＳＩを解析することにより表示制御テーブルを生成する。
【００２２】
表示制御テーブル中のパラメータ「切り出しエリア」は、受信した映像ストリームの中から一部を切り出して拡大処理する領域の座標である。「切り出しエリア」は、データ放送を合わせて表示する場合とデータ放送を表示しない場合とでそれぞれ定義される。「映像表示エリア」は、ディスプレイ１０６の画面上で映像を表示する領域を示す座標である。「映像表示エリア」についても、データ放送を合わせて表示する場合とデータ放送を表示しない場合との、それぞれについて定義される。
【００２３】
「データ放送エリア」は、ディスプレイ１０６の画面上でデータ放送映像を表示する領域を示す座標である。「ＢＭＬ」は、データ放送領域に表示するデータ放送映像に係るデータ放送コンテンツを記載したファイルを指定するファイル名である。「音声チャンネル」は、再生する音声チャンネルを指定する値である。
【００２４】
受信したチャンネルに含まれる映像の表示レイアウトを図５に示す。全体映像の中に、切り出し視聴が推奨される２つの領域（画角Ａ、画角Ｂ）が定義されている。画角Ａ、画角Ｂの各領域は、表示制御テーブル中の「切り出しエリア」に定義されている。
【００２５】
画角Ａが選択されたときの画面構成を図４（Ａ）に示す。映像領域には、図５の画角Ａで示された領域の映像が表示され、データ放送領域には、ＢＭＬ（ｔｏｐ＿ａ．ｂｍｌ）に記述された情報が表示される。同様に画角Ｂが選択されたときの画面構成を図４（Ｂ）に示す。映像領域には、図５の画角Ｂで示された領域の映像が表示され、データ放送領域には、ＢＭＬ（ｔｏｐ＿ｂ．ｂｍｌ）に記述された情報が表示される。このように、選択された映像の画角が狭い場合には、切り出された映像が拡大されて表示されるので、表示領域の面積は小さくてよい。従って、この場合、選択された映像の画角が広い場合に比べて、表示領域全体の面積に対する関連情報の表示領域の面積の比を大きくレイアウトする。
【００２６】
データ放送ストリームとして送信されるデータ放送ソースの階層構造を図６に示す。各要素はソースファイルの名前であり、ここに挙げた全てのファイルがデータカルーセル形式で放送される。
【００２７】
画角Ａに対応するデータ放送ソースはｔｏｐ＿ａ．ｂｍｌである。ｔｏｐ＿ａ．ｂｍｌでは、ｓｕｂｔｏｐ＿ａ１．ｂｍｌ及びｓｕｂｔｏｐ＿ａ２．ｂｍｌに記述された内容が参照される。さらにｓｕｂｔｏｐ＿ａ１．ｂｍｌは、ｓｕｂ＿１．ｂｍｌ及びｓｕｂ＿２．ｂｍｌを参照し、ｓｕｂｔｏｐ＿ａ２．ｂｍｌは、ｓｕｂ＿３．ｂｍｌからｓｕｂ＿８．ｂｍｌまでを参照する。このうちｓｕｂ＿４．ｂｍｌ、ｓｕｂ＿７．ｂｍｌ、及びｓｕｂ＿９．ｂｍｌは画角Ｂに関する情報である。画角Ａの領域には画角Ｂの領域が含まれるため、画角Ａに対するデータ放送の内容にも、画角Ｂに関する情報を含ませている。画角Ｂに対応するデータ放送ソースはｔｏｐ＿ｂ．ｂｍｌである。ｔｏｐ＿ｂ．ｂｍｌはｓｕｂｔｏｐ＿ｂ１．ｂｍｌを参照し、さらにｓｕｂｔｏｐ＿ｂ１．ｂｍｌはｓｕｂ＿４．ｂｍｌ、ｓｕｂ＿７．ｂｍｌ、及びｓｕｂ＿９．ｂｍｌを参照している。
【００２８】
このように、データ放送ソースを、階層構造を有するデータファイルで構成し、最下位層のファイルを重複させて、異なる最上位層の階層に含ませることができる。選択された画角に応じて、表示制御テーブルから最上位層のファイルが選択され実行される。データ放送ソースをこのような構成とすることにより、１つのデータ放送ソースであっても、選択された画角に適応したデータ放送映像として表示することができる。
【００２９】
制御部１１０はステップ１１１０にてテーブルを参照し、画角Ａに関する表示領域を取得する。さらに制御部１１０はステップ１１１１にてテーブルから画角Ａの場合に表示すべきＢＭＬファイルを指定するポインタ情報を取得する。そして制御部１１０はステップ１１１２にて画角Ａ表示時に再生する音声のチャンネルを指定する情報を取得する。
【００３０】
図２に戻って、制御部１１０は、拡大部１０４に対して映像の切り出し領域（データ放送有り）、拡大率、拡大映像の表示位置を指示する（Ｓ１１１３、Ｓ１１２３）。拡大部１０４は、映像ストリームから指定された領域を切り出し、拡大処理を行い、ディスプレイ１０６の画面上の表示領域における指定された座標に番組映像を配置する。
【００３１】
制御部１１０は、データ放送コンテンツの表示領域をデータ放送処理部１２０に指示する（Ｓ１１１４、Ｓ１１２４）し、データ放送処理部１２０に対して、参照すべきＢＭＬファイルを指示する（Ｓ１１１５、Ｓ１１２５）。データ放送処理部１２０は指定されたＢＭＬファイルを解析し、このファイルの記述に従いデータ放送コンテンツを生成する。
【００３２】
制御部１１０は、音声切り替え部１３１に対して再生すべきチャンネルがｃｈ１とｃｈ２であることを指示する（Ｓ１１１６、Ｓ１１２６）。音声切り替え部１３１は、受信した複数の音声チャンネルからｃｈ１とｃｈ２を出力する。スピーカ１３２はテーブルで指定された音声チャンネルｃｈ１とｃｈ２の音声を再生する。
【００３３】
この後制御部１１０は、処理をステップ１１０１まで戻し、表示制御処理が繰り返し実行される。
【００３４】
データ放送表示が選択されなかった場合にも（Ｓ１２０１）、番組映像の選択画角を判定し（Ｓ１２０２）、選択された画角に対して、データ放送なしの処理として同様の処理が実行される。
【００３５】
広画角放送番組としてオペラ番組を視聴した場合の動作例について説明する。オペラ番組の一般的な視聴のスタイルとして、舞台全体を見渡す画角と、歌手に注目する画角の２種類の画角が提供される。視聴者は、番組選択時に表示される画角選択画面から、好みの画角を選択する。さらに視聴者がデータ放送の表示を選択した場合には、以下のような関連情報が表示される。舞台全体を見渡す画角を選択している場合には、オペラそのものに関する一般的な情報を中心に、視聴中のオペラを構成する様々な要素（演者、作者、ストーリ等）に関する情報が表示される。一方、視聴者が歌手に注目する画角を選択している場合には、その歌手に関する情報（経歴、家族、趣味等）が主に表示される。
【００３６】
また、本発明は、広画角放送番組以外に、１つの放送番組に対して、サブチャンネルを使って、複数の番組映像を配信するマルチビュー番組にも適用可能である。マルチビュー番組を選局すると、自動的にメインチャンネルの映像が表示されるが、視聴者は番組内で一時的に設定されたサブチャンネルを選局することができる。サブチャンネルでは、メインチャンネルとは異なる映像・音声が配信される。さらに、データ放送の表示が指示されると、各チャンネルで異なる内容の番組関連情報が表示される。このとき、各チャンネルにおける、番組映像と番組関連情報との表示レイアウトは同じである。即ち、同じ放送番組であっても、選択されたチャンネルに応じて、異なる番組関連情報を番組映像と合成して表示することができる。
【符号の説明】
【００３７】
１００  放送受信装置
１０１  受信部
１０２  デマルチプレクサ
１０３  映像デコード部
１０４  拡大部
１１０  制御部
１２０  データ放送処理部
１２１  描画部
【図１】
2011142397.tif 000003
【図２】
2011142397.tif 000004
【図３】
2011142397.tif 000005
【図４】
2011142397.tif 000006
【図５】
2011142397.tif 000007
【図６】
2011142397.tif 000008